Podtech/llm-jp-corpus-v4-ja_patent huggingface dataset:
(57)【要約】      （修正有）【課題】左右前後のリアルな立体音響を聞く事が出来るサラウンド・ヘッドホーンを提供する。【解決手段】左右ヘッドホーンの内部にそれぞれ二個の音声スピーカーを組み入れる事で左右前後の音声の認識が出来、リアルなサラウンド音響を聞く事が可能になる。【選択図】図１
2005073216.tif 000002
【特許請求の範囲】
【請求項１】
左右のヘッドホーンのそれぞれの内部に複数個の音声スピーカーを組み入れたもの。
【発明の詳細な説明】
【発明の詳細な説明】
この発明は左右ヘッドホーンの内部にそれぞれ二個の音声スピーカを組み入れたものである。これら合計四個のスピーカから左右前後のリアルなサラウンド音響を聞く事が出来る。
従来のヘッドホーンは左右それぞれに一個の音声スピーカが組み入れてあるのでこれは単に左右の立体音響には効果があるが前後の立体音響には効果がない。
本発明は左右前後の音声の認識が出来るので一層リアリテイのあるサラウンド音響を聞く事を可能にしている。
以下にこれを説明すると；
（イ）左右それぞれのヘッドホーン内部の二個のスピーカーはそれぞれの三芯スピーカコードで接続されている。三芯の中の一本はグランドである。
（ロ）左右ヘッドホーン二組の三芯スピーカコードを４．１／５．１／又は６．１ｃｈ用のＡＶアンプのスピーカー出力端子の音声左前、音声左後、音声右前、音声右後又はそれと同等の出力端子をもつＡＶアンプへ接続する。グランドはＡＶアンプのグランド端子へ接続する。
【図面の簡単な説明】
【図１】本発明の右側のヘッドホーン内部のスピーカー取付け部分とケース部分の下部を正面にして斜め上から見た図
【図２】本発明の右側ヘッドホーンのスピーカー取付け部分の下部を正面から見た図
【図３】本発明の左側ヘッドホーンのスピーカー取付け部分の下部を正面から見た図
【符号の説明】
１は音声右後スピーカー    ２は音声右前スピーカー  ３は遮蔽板
４は三芯スピーカーコード  ５は耳あてクッション
６はヘッドホーンケース    ７は音声左後スピーカ
８は音声左前スピーカ
【図１】
2005073216.tif 000003
【図２】
2005073216.tif 000004
【図３】
2005073216.tif 000005
(57)【要約】【目的】  設置の高さに関係なく、また、車両の屋根、航空機の導体に設置した場合に生ずる擾乱を受け難い、安定したカージオイド型指向性の得られる方位測定用空中線の提供を目的とする。【構成】  導体地盤の表裏の対象位置に空隙を設けて設置した線条、または帯状の空中線素子のそれぞれの端部を、空中線素子の呈する特性抵抗で終端し、他端部に接続した平衡−不平衡変成器の出力端からカージオイド型指向性を有する誘起電圧を取り出すようにしたことを特徴とする。【選択図】  図１
2005073213.tif 000002
【特許請求の範囲】
【請求項１】
導体地盤の表裏の対象位置に空隙を設けて設置した線条、または帯状の空中線素子のそれぞれの端部を、空中線素子の呈する特性抵抗で終端し、他端部に接続した平衡−不平衡変成器の出力端からカージオイド型指向性を有する誘起電圧を取り出すようにしたことを特徴とする方位測定用空中線
【請求項２】
請求項１に記載の方位測定用空中線を、同一導体地盤上に終端部を中心として、複数個、放射状に配置したことを特徴とする方位測定用空中線
【請求項３】
請求項１、および請求項２に記載の方位測定用空中線において、導体地盤の裏面に設置した空中線素子を導体ケースで遮蔽したことを特徴とする方位測定用空中線
【発明の詳細な説明】
【技術分野】
【０００１】  この発明は、受信した電波の到来方向を測定する方位測定機に使用される方位測定用空中線に関するものである。
【背景技術】
【０００２】  導体地盤上に空中線素子として線条、または帯状の導体を間隔を置いて設置し、その１端を空中線素子の呈する特性抵抗で終端し、他端より受信信号を取り出すようにしたカージオイド型指向性を有する空中線が方位測定用空中線として使用されている。
また、特許１６２７０００号に示すように、複数の上記空中線を同一地盤上に放射状に配置し、指向方向の異なるカージオイド型指向性を有する受信出力を得るようにした空中線系が使用されている。
【特許文献１】特許１６２７０００号
【発明の開示】
【発明が解決しようとする課題】
【０００３】  上記のような方位測定用空中線は、多くの場合、支柱等の上部に装着して使用されるため、信号伝送ケーブルと地盤で構成される垂直空中線効果による無指向性成分が、本来の空中線出力成分に重畳され、カージオイド型指向性が大きく乱されるという問題がある。
また、この空中線は、車両の屋根、航空機の胴体下部等の金属部分を地盤として装備されることも多く、この場合にも、入射電界によって地盤上に誘導電流が発生し、これが本来の受信モードと異なるモードで空中線素子に誘導され、指向特性に大きな擾乱を与えるという問題がある。
本発明は、このような問題を解決するために発明されたものであって、装備条件の影響を受け難い方位測定測定用空中線の提供を目的とする。
【課題を解決するための手段】
【０００４】  本発明の請求項１、及び請求項２に記載の方位測定用空中線においては、導体地盤の表裏に同一構造の空中線系を設置し、表裏の空中線系の出力端に平衡−不平衡変成器を接続して、その不平衡端子から受信信号を取り出す。
これにより、表裏の空中線の出力端に現れる１８０度位相の異なる正規モード信号は平衡−不平衡変成器で加算され、地盤から共通モードで空中線素子に誘起される擾乱電圧は相殺される。【０００５】  また、請求項３に記載の方位測定用空中線においては、上記方位測定用空中線の導体地盤の裏面に設置した空中線系を金属ケースで遮蔽する。
この場合、裏面の空中線系は入射電界から遮蔽され、方位測定用空中線として作用しないが、地盤からの擾乱電圧は共通モードで誘起されるので平衡−不平衡変成器で相殺される。この結果、表面に設置した空中線系のみが方位測定用空中線として機能する。
【発明の効果】
【０００６】  以上のように、本発明の請求項１、請求項２に記載の方位測定用空中線によれば、信号伝送ケーブルと地盤で構成され、設置高で変化する垂直空中線効果を大幅に軽減できるので、空中線の設置位置に関係なく精度のよい方位測定が可能となる。
また、請求項３に記載の方位測定用空中線を車両の屋根、あるいは航空機の胴体に設置する場合、車両、あるいは航空機の外部と内部では入射電界の姿態が異なるので、より正常である外部電界のみを使用することによって精度のよい方位測定が可能となる。
【発明を実施するための最良の形態】
【０００７】  以下、本発明の方位測定用空中線を実施するための最良の形態について、図面を参照して説明する。
【実施例１】
【０００８】  図１は、本発明の請求項１に記載の方位測定用空中線の構造を示す図である。図１において、１は本方位測定用空中線を一つの基本空中線系として示したもので、２導体地盤、３ａ、３ｂは空中線素子、４ａ、４ｂは終端抵抗、５は平衡−不平衡変成器、６は同軸線路で構成してある。  空中線素子３ａ、３ｂは、導体地盤２の表裏対照の位置に間隔をおいて設置してある。終端抵抗４ａ、４ｂは、空中線素子３ａ、３ｂの寸法と、導体地盤２との間隔で決まる特性抵抗と等しい抵抗値を持つ抵抗であって、空中線素子３ａ、３ｂの先端を導体地盤２に終端する。平衡−不平衡変成器５は、その平衡端が空中線素子３ａ、３ｂそれぞれの他端に接続されており、不平衡端から同軸線路６を介して入射電波に対してカージオイド型指向性を持つ受信信号を出力する。
この場合の入射電波の方位は、本方位測定用空中線を回転し、同軸線路６に接続された受信機の出力の最小方向を探索することによって求められる。
【実施例２】
【０００９】  図２は、本発明の請求項２に記載の方位測定用空中線の構造を示す図であって、上記、図１に示した基本空中線系１を、導体地盤２を共通にし、終端点を中心に互いに直交するように配置したものである。これによって、各同軸線路６からはそれぞれ９０°指向方向の異なるカージオイド型指向性を持つ受信信号が出力される。
この場合の入射電波の方位は、各同軸線路６に現れる受信信号のレベル差から算出される。
【実施例３】
【００１０】  図３は、本発明の請求項３に記載の方位測定用空中線の構造を示す図であって、上記、図２に示した方位測定用空中線の裏面に設置した部分を、導体地盤２に取り付けた金属ケース７で遮蔽したものである。
この場合も入射電波の方位は、上記、実施例２の場合と同様の方法によって求めることができる。
【図面の簡単な説明】
【００１１】
【図１】本発明の請求項１に記載の方位測定用空中線の構造を示す図である。
【図２】本発明の請求項２に記載の方位測定用空中線の構造を示す図である。
【図３】本発明の請求項３に記載の方位測定用空中線の構造を示す図である。
【符号の説明】
【００１２】１；基本空中線系
２；導体地盤
３；空中線素子
４；抵抗
５；平衡−不平衡変成器
６；同軸線路
７；金属ケース
【図１】
2005073213.tif 000003
【図２】
2005073213.tif 000004
【図３】
2005073213.tif 000005
(57)【要約】【課題】大浴槽は勿論、小浴槽にも浴湯排出口と浴湯噴出口との間に連通した浴湯循環経路に、前例にない簡単な設備を併設することにより低廉な費用で入浴中の入浴者に対し入浴者が望む身体の個所にマッサージ効果を発揮する噴流を噴出させることができる浴槽設備を提供しようとするものである。【課題手段】浴槽の浴湯排出口と浴湯噴出口の間を連通する浴湯循環路中に浴湯噴出口から噴出する浴湯に強力な流速を生じさせるためのスクリュー機構を配置した。【選択図】図２
2005073728.tif 000002
【特許請求の範囲】
【請求項１】
浴槽の浴湯排出口と浴湯噴出口の間を連通する浴湯循環路中に浴湯噴出口から噴出する浴湯に強力な流速を生じさせるためのスクリュー機構を配置したことを特徴とする浴湯噴流装置を備えた浴槽。
【発明の詳細な説明】
【技術分野】
【０００１】
本発明は、公衆浴場の大浴槽だけでなく、こぢんまりした小規模の浴場の小浴槽にも適応する浴湯の噴流装置に関するものである。
【背景技術】
【０００２】
これまで、主として大衆浴場の大浴槽には、入浴者が入浴中に身体の望む個所にマッサージ効果を発揮する噴流を噴出する設備を具えた構成とされる浴槽がある。
この噴出口から噴出される噴流は、これまで浴槽の浴湯を循環する経路の途中にポンプ機構を配し、このポンプ機構を以て浴湯循環経路を通過する浴湯に対し強力な流速をもつ浴湯とし、これを浴槽に設けられた噴出口から噴出させると言う構成から成っていた。
そして、噴出口から噴出する浴湯中に空気を吹き込み、空気と共に浴湯を噴出させる構成のものもあったことは衆知の事実である。
この従来の浴槽中に浴湯を噴流する装置は、前記したように浴湯の循環路の途中にポンプ機構を配すると言う構成から成るものであるから、その設備を備えさせることは、場所的にも機構的にも大がかりのものとなり、その結果設置に要する費用も嵩むことになると言う不都合があった。
【発明の開示】
【発明が解決しようとする課題】
【０００３】
本発明は、これまでには、業界で採用されていない全く新しい考え方で大浴槽には勿論、小浴槽にも浴湯排出口と浴湯噴出口との間に連通した浴湯循環経路に、前例にない簡単な設備を併設することにより低廉な費用で入浴中の入浴者に対し入浴者が望む身体の個所にマッサージ効果を発揮する噴流を噴出させることができる浴槽設備を提供しようとするものである。
【課題を解決するための手段】
【０００４】
浴槽の浴湯排出口と浴湯噴出口の間を連通する浴湯循環路中に浴湯噴出口から噴出する浴湯に強力な流速を生じさせるためのスクリュー機構を配置したことを特徴とする。
【発明の効果】
【０００５】
本発明は、上記の通り、浴槽の浴湯排出口と浴湯噴出口の間を繋続する浴湯循環路中にスクリュー機構に配置すると言う簡単な構成により、これまで浴湯循環路にポンプ機構を配していた機構に変えてマッサージ効果を発揮する噴流を浴湯噴流口から噴射することができる。以上の説明は浴槽を例にとったが、プールについても同じである。
【実施例】
【０００６】
浴槽１の所望な個所に浴湯排出口２を設け、また、浴湯噴出口３を設ける。この浴湯排出口２と浴湯噴出口３の間を浴湯循環路４で連通する。
浴槽１に配する浴湯循環路４の所望の個所に、浴湯循環路４外に配したモーター等の駆動源５からの動力伝達を受けて稼働するスクリュー機構６を配置すると言う構成としたものである。
即ち、上記した浴湯循環路４の所望な個所に、浴槽に設けた噴出口側に向かった浴湯噴流を生じさせるスクリュー機構６を配した。これを図１，Ａ，Ｂ，Ｃ，Ｄ，Ｅ，Ｆに示す。
【０００７】
そのスクリュー機構６とは、浴湯循環路４外に設置した動力源５からの動力を受けて浴湯循環路４内で、浴槽１に設けた浴湯噴出口３側に向かって強制浴湯流を生じるようにスクリュー１４を配した機構である。
【０００８】
その浴湯循環路４中に配するスクリュー機構６を配置する個所は特に特定することはないが、その配置個所の例を示すと、図２に図示するとおり浴湯循環路４をＬ字状にした継子管１０を配した個所である。
【０００９】
浴湯循環路４に前記したスクリュー機構６の配置手段について説明する。
前記した浴湯循環路４に配した継手管１０にスクリュー機構６を配する構成とした場合を例にとってその配置手段を説明すると、継手菅１０の浴湯流出先１１に対応する管壁１２に、一般に使われている防水手段を施した軸受け１３Ａをパッキン等の防水材を介在させて配置する。継手菅１０開口側にも軸受１３Ｂを所望な手段で配する。
前記した軸受け１３Ａ、１３Ｂ間にスクリュー１４を取付けたスクリューの回転軸１５を軸支する。このスクリュー１４を取付けた回転軸１５を浴湯循環路４の継手菅１０外に配置した動力源５からベルト１６等を以て動力を伝達させて回転させるように配置すると言うものである。
【００１０】
上記した構成の下での浴湯の流れを説明する。浴槽１の浴湯排出口２と浴湯噴出口３の間を連通するスクリュー機構６を配した浴湯循環路４中に、浴槽１の浴湯排出口２から浴湯を取り入れ、浴槽の浴湯噴出口３から浴湯を噴出させるよう浴湯を循環させる状態下で、前記スクリュー機構６に配されたスクリュー１４を動力源５から動力を伝達させて回転させる。
【００１１】
この操作により、浴槽１中の浴湯は浴湯排出口２から浴湯循環路４に勢いよく流れ込み、浴湯循環路４に流れ込んだ浴湯が噴出口３からスクリュー機構６に配したスクリュー１４の回転によって強力水流とされた浴湯が噴出されることになる。
【００１２】
浴湯排出口２から浴湯の流れ込み力は、入浴者の安全を考えて排出口２の浴湯取り入れ面積を大きくするとか、或は、排出口２を分散させるとか、或は流れ込み力を弱くする器具を配置するとか、各種手段を講じることによってその流れ込み力を調整できることは言うまでもない。
浴槽１の浴湯噴出口３からの浴湯の噴出力についても入浴者に対するマッサージ効果を考えて噴流強度、或は噴流方向を可変できる処置を講ずることも考えられる。
【図面の簡単な説明】
【００１３】
【図１Ａ．Ｂ．Ｃ．Ｄ．Ｅ．Ｆ】浴湯循環路の配置の仕方の例示
【図２】浴湯循環路にスクリュー機構を配した状態の切欠断面図
【符号の説明】
【００１４】
１      浴槽
２      浴湯排出口
３      浴湯噴出口
４      浴湯循環路
５      駆動源
６      スクリュー機構
１０    継子管
１１    浴湯流出先
１２    管壁
１３Ａ  軸受け
１３Ｂ  軸受け
１４    スクリュー
１５    回転軸
１６    ベルト
【図１Ａ．Ｂ．Ｃ．Ｄ．Ｅ．Ｆ】
2005073728.tif 000003
【図２】
2005073728.tif 000004
(57)【要約】【課題】  患部を充分に温めたり或いは冷したりしながらも、つぼを効果的に刺激し、筋肉をほぐすことができるようにすることにある。【解決手段】  合成樹脂製袋体２内に、保温・保冷用粘液剤を球体３と共に封入した構成で、保温・保冷用粘液剤としては、水・食用増粘剤・防腐剤・ポリプレングリコール不凍液等が含まれたカルボキシ・メチルセルロース・ナトリウムであり、電子レンジで適宜温度まで加熱し、或いは冷凍庫で冷し、患部に押し当てると共に、内部の球体３を転動させて筋肉をほぐし、つぼを刺激するものである。【選択図】        図１
2005073794.tif 000002
【特許請求の範囲】
【請求項１】
合成樹脂製袋体（２）内に、保温・保冷用粘液剤を球体（３）と共に封入したことを特徴とするマッサージ具。
【発明の詳細な説明】
【技術分野】
【０００１】
本発明は、患部を温め或いは冷しながら筋肉をほぐすために用いられるマッサージ具に関する。
【背景技術】
【０００２】
従来より、患部を温め或いは冷しながら筋肉をほぐすため或いは血行を良くするため、各種のマッサージ具が提案されており、例えば以下の文献の如き発明の開示がある。
【特許文献１】特開平１１−７６３４８号公報
【０００３】
この発明は、中空容器内に、温熱剤・冷却剤・保水剤を収納し、この容器を患部に押し当てて回転させる構成である。
【発明の開示】
【発明が解決しようとする課題】
【０００４】
しかしながらこの従来例の構成では、患部に対する容器の接触が点若しくは線であるから、患部を充分に温めたり冷したりすることができず、また、大きな球体形状であるから点である所謂つぼを効果的に刺激できない不満点があった。
【０００５】
よって本発明は、この従来の不満点を解消し要求に応えるべく発明されたマッサージ具であって、患部を充分に温めたり或いは冷したりしながらも、つぼを効果的に刺激し、筋肉をほぐすことができるようにすることを目的とする。
【課題を解決するための手段】
【０００６】
上記課題を解決するため本発明のマッサージ具は、合成樹脂製袋体内に、保温・保冷用粘液剤を球体と共に封入したことを特徴とする構成である。
【発明の効果】
【０００７】
本発明のマッサージ具は上述したような構成であるので、袋体を患部に押し当てることで面接触させながら温め或いは冷すことができ、しかも同時に、内部に収納した球体を患部に押し付けることにより適度の刺激を与えることができ、マッサージ効果が得られる等、多くの優れた作用効果を奏する。
【発明を実施するための最良の形態】
【０００８】
本発明のマッサージ具１にあって、袋体２は、ポリエチレン・ナイロン製で、額や肩、首、背中等に当てがうことのできるほぼ１０センチ四方程度の大きさであって、内部に保温・保冷用粘液剤を球体３と共に封入する。
【０００９】
保温・保冷用粘液剤は、例えばカルボキシ・メチルセルロース・ナトリウムであり、具体的には水・食用増粘剤・防腐剤・ポリプレングリコール不凍液等が含まれている。
【００１０】
また球体３は、２センチ前後の直径を有するシリコーンボールであって、２・３個が袋体２内に収納されるが、粘液剤が同時に収納されているため、袋体１内での緩慢な移動が自在なものになっている。
【実施例１】
【００１１】
温めて使用する場合は、電子レンジで適宜秒数程度の加熱で良く、主として肩や腰に当てがって患部を温め、球体３を移動転動させることによりつぼを刺激し、こりや緊張を和らげるものである。
【実施例２】
【００１２】
冷して使用する場合には、冷凍庫内で数時間冷すものであるが、不凍液が含まれているので固形化することはなく、従ってほてった患部に対応して全面に押し当てることができ、同様に球体３を移動転動させることによりつぼを刺激する。
【図面の簡単な説明】
【００１３】
【図１】本発明のマッサージ具の正面図である。
【符号の説明】
【００１４】
１    マッサージ具
２    袋体
３    球体
【図１】
2005073794.tif 000003
(57)【要約】【課題】  コンセント差込口周辺に埃等が堆積することにより発生する可能性のあるトラッキング現象を防止する他、幼児が異物を挿入する等して起こりうる感電事故を防止するコンセント差込口を提供する。【解決手段】  コンセント差込口（２）を左右に並列に設置し、それぞれに回転機構を設けた上で、上面に開閉蓋（３）を設置することにより、コンセントを差し込んだ状態でも蓋を閉じることを可能とする他、コンセントを使用していない状態でも蓋を閉じることにより、コンセント差込口を閉鎖することを可能とする。【選択図】図６
2005073488.tif 000002
【特許請求の範囲】
【請求項１】
コンセント差込口（２）を回転可能とし、併せて開閉蓋（３）を設けることにより、コンセント差込口周辺への埃等の堆積によって発生する可能性のあるトラッキング現象を防止する他、コンセント未使用時においてコンセント差込口に幼児が異物を挿入する等して起こりうる感電事故を防止するコンセント差込口。
【発明の詳細な説明】
【発明の詳細な説明】
【技術分野】
【０００１】  本発明は、コンセント差込口周辺に埃等が堆積することにより発生する可能性のあるトラッキング現象を防止する他、コンセント未使用時において、コンセント差込口に幼児が異物を挿入する等して起こりうる感電事故を防止するために、コンセントを差し込んだ状態での開閉蓋の閉鎖と、コンセントを使用していないときのコンセント差込口の閉鎖を可能としたコンセント差込口に関するものである。
【背景技術】
【０００２】  従来は、コンセントを差し込んだ状態で開閉蓋を閉じる事が可能なコンセント差込口、およびコンセント未使用時にコンセント差込口の閉鎖ができるコンセント差込口はなかった。
【発明が解決しようとする課題】
【０００３】  従来のコンセント差込口は、コンセントを差し込んでいると、コンセント周辺に埃が堆積し、トラッキング現象が発生する可能性が生じた。
また、従来のコンセント差込口は、使用していない状態ではコンセント差込口が露出しているため、幼児等が異物を挿入する等して感電する事故が発生する可能性があった。本発明は、この課題を解消するためになされたものである。
【課題を解決するための手段】
【０００４】  上下方向への回転機構を設けたコンセント差込口（２）を、本体（１）に左右に並列に設置し、それぞれの上面に開閉蓋（３）を設置したことにより、コンセントを差し込んだ状態でも蓋を閉じることを可能とした。
本発明は、以上の構成よりなる、コンセント差込口周辺への埃等の堆積によって発生する可能性のあるトラッキング現象を防止する他、コンセント未使用時においてコンセント差込口に幼児が異物を挿入する等して起こりうる感電事故を防止するコンセント差込口である。
【発明を実施するための最良の形態】
【０００５】以下、本発明の実施の形態について説明する。
（イ）上下方向に回転可能となるよう回転機構を設けたコンセント差込口（２）を本体（１）に並列に設置する。
（ロ）コンセント差込口（２）を設置した本体（１）に、開閉蓋（３）を、左右それぞれのコンセント差込口（２）の前面に設置する。
【発明の効果】
【０００６】  コンセント差込口が上下方向に回転し、更に開閉蓋が設置されることにより、コンセントを差し込んでいる状態でも、開閉蓋を閉じることが可能となった。このことにより、長時間にわたりコンセントを差し込んで使用している場合であっても、コンセント周辺への埃の堆積を防ぐことができ、トラッキング現象の発生を防止できる。また、コンセントを使用していない場合においては、開閉蓋を閉鎖することでコンセント差込口が露出しないため、幼児が異物を挿入する等して起こりうる感電事故を防止することができる。
【図面の簡単な説明】
【図１】本発明の斜視図である。
【図２】本発明の正面図である。（開閉蓋閉鎖時）
【図３】本発明の正面図である。（開閉蓋開放・コンセント差込口上向時）
【図４】本発明の正面図である。（開閉蓋開放・コンセント差込口下向時）
【図５】本発明の断面図である。（開閉蓋閉鎖・コンセント差込口下向時）
【図６】本発明の使用状態を示す斜視図である。
【符号の説明】
（１）本体、（２）コンセント差込口、（３）開閉蓋、（４）コンセント差込口回転軸、（５）（コンセント）
【図１】
2005073488.tif 000003
【図２】
2005073488.tif 000004
【図３】
2005073488.tif 000005
【図４】
2005073488.tif 000006
【図５】
2005073488.tif 000007
【図６】
2005073488.tif 000008
(57)【要約】【課題】  従来の座椅子には、ダイエットする事を主たる目的と置き、その為の機能を持ち合わせたものは無い。また、日常生活の中でのダイエットには意志力と自覚を必要とし、継続的に実施するのは容易ではない。そこで、従来技術の有する問題を解消し、無理無く、ダイエットする事が出来る器具を提供する事を課題とする。【解決手段】  背もたれ部と、背もたれ調整部と、台座とを有し、背もたれ部にダイエットを促進する為のつぼを局部的に刺激する為のバイブレータを内蔵する座椅子を提供する。また、当座椅子の台座に設けられた足載せ部は同じく台座に設けられた座面部に対して意図的に高く位置させている。この形状が齎す効果は使用者の下腹部及び臀部に軽微な持続的緊張を与え、無理無く、ダイエット効果を得る事である。【選択図】  図１
2005073805.tif 000002
【特許請求の範囲】
【請求項１】
背もたれ部と、背もたれ調整部と、台座とを有し、背もたれ部にダイエットを促進する為のつぼを局部的に刺激する為の電動バイブレータを内蔵することを特徴とする座椅子。
【請求項２】
背もたれ部と、台座とを有し、台座に設けられた足載せ部は同じく台座に設けられた座面部に対して高い方向に段差をつけ、使用者の下腹部及び臀部に軽微な持久的緊張を与えることを特徴とする請求項１記載の座椅子。
【発明の詳細な説明】
【技術分野】
【０００１】
この発明は、ダイエットする事を主たる目的と置く座椅子の形状に関する。
【背景技術】
【０００２】
従来の座椅子には、座り心地、座り易さ、立ち上がり易さを向上する為の種々の工夫を凝らしたものがあり、一般的には楽に座する事の出来る機能を持った器具である。
【発明の開示】
【発明が解決しようとする課題】
【０００３】
従来の座椅子には、座り心地、座り易さ、立ち上がり易さを向上する為の種々の工夫を凝らしたものはあるが、ダイエットする事を主たる目的と置き、その為の機能を持ち合わせたものは無い。
【０００４】
また、日常生活の中でのダイエットには意志力と自覚を必要とし、継続して実施するのは容易ではない。そこで、この発明は、上記従来技術の有する問題を解消し、座椅子に対する従来の観念に拘束されず、無理無くダイエットする事が出来る器具を提供する事を課題とする。
【課題を解決するための手段】
【０００５】
以上の課題を解決するために、第一発明は、背もたれ部と、背もたれ調整部と、台座とを有し、背もたれ部にダイエットを促進する為のつぼを局部的に刺激する為の電動バイブレータを内蔵することを特徴とする座椅子である。
【０００６】
また、第二発明は、背もたれ部と、台座とを有し、台座に設けられた足載せ部は同じく台座に設けられた座面部に対して高い方向に段差をつけ、使用者の下腹部及び臀部に軽微な持久的緊張を与えることを特徴とする請求項１記載の座椅子である。
【発明の効果】
【０００７】
第一発明、または第二発明によれば、ダイエットを促進する為のつぼ刺激と併せて、使用者の下腹部及び臀部への持続的緊張から無理無くダイエットする事ができる。
【発明を実施するための最良の形態】
【０００８】
この発明の一実施形態を、図１及び図２、図３に示す。図１において、Ａは背もたれ部、Ｃは台座であり、背もたれ部Ａは台座Ｃに対して傾斜 角度を段階的に調節し設定し得ることは従来のものと同様である。ここで、本発明の特徴は、本来、座椅子に座した際に背もたれとなる背もたれ部Ａを極端に低く位置させ、或いは背もたれ位置調整部Ｂに内蔵される昇降調整部ｇを昇降調整して背もたれ部Ａに内蔵されたつぼ刺激部ｈが人体の背中にある第二〜第三腰椎の一指外側に位置する腎兪なるつぼを刺激できるように配慮された構造であることである。
【０００９】
図３において、つぼ刺激部ｈは背もたれ部Ａの中心から左右に２ヶ所あり、つぼ刺激部ｈの太さ（端面の直径)は成人の親指の太さに近い太さで形成されている。また、その先端は球面になっており内蔵された電動のバイブレーターにより、腎兪を局部的に刺激する事が出来る。
【００１０】
腎兪は人体の背中に位置し、同箇所を刺激する事に伴う効用は腎機能を高め水分代謝を良くする事で、老廃物の良好なる排出とそれに伴うダイエット効果である。また、図２において、座面部ｄに対して足載せ部ｅは意図的に高い方向に段差をつけている。それに伴い使用者が座面部ｄに臀部を置き、足載せ部ｅに足を置いて座した時に上体が後方に倒れ気味になり、その際背もたれ部Ａの位置調整により下腹部及び臀部に軽微な持久的緊張を与える目的で形成されている。
【００１１】
さらに使用者は背もたれ部Ａの高さについて昇降調整部ｇを昇降調整して、下腹部及び臀部への持久的緊張の度合を調整する事が出来る。
【００１２】
「実施形態の効果」  この実施形態によれば、使用者は座面部と足載せ部の段差と背もたれ部の高さによる下腹部及び臀部への持続的緊張と併せて背もたれ部に内蔵された電動バイブレータでのつぼ刺激によりダイエット効果を得る事が出来る。
【００１３】
「他の実施形態」  図１の実施形態では、台座は図示されたような固有の形状であるが、背もたれ部の傾斜角度を段階的に調整する際にこの機構と連動し、足載せ部を上下させても良い。また、図１、２、３で背もたれ部は円柱形になっているが、背中に接触する部分を曲線形状、或いは半円形状にしても良い。
【図面の簡単な説明】
【００１４】
【図１】この発明の実施形態を示す側面図である。
【図２】この発明の実施形態の内、背もたれ部の詳細を示す側面図である。
【図３】この発明の実施形態を示す斜視図である。
【符号の説明】
【００１５】
Ａ  背もたれ部                ｅ  足載せ部
Ｂ  背もたれ位置調整部        ｆ  ラチェット機構部
Ｃ  台座                      ｇ  昇降調整部
ｄ  座面部                    ｈ  つぼ刺激部
【図１】
2005073805.tif 000003
【図２】
2005073805.tif 000004
【図３】
2005073805.tif 000005
(57)【要約】【課題】プログラム情報表示時に、記録者名を表示するようにし、さらに、記録者名で分類し、表示できるようにすることで、同一のディスクを複数人で使用しやすくする。【解決手段】プログラム記録時に、ディスク上のＴＸＴＤＴ＿ＭＧ領域に記録者名を書き込むようにする。また、プログラム情報表示時に、記録者名を表示するようにし、また分類機能を使用することで、同じ媒体に複数人で記録して使用した場合、誰が記録したものかわかり、消去の時にも役に立つ。【選択図】図３
2005149632.tif 000002
【特許請求の範囲】
【請求項１】
ＶＲ規格に準拠した記録方式に基づく媒体に記録者名を記録する手段をもつデジタルレコーディング機器。
【請求項２】
前記媒体のＴＸＴＤＴ＿ＭＧ領域に記録者名を記載することを特徴とする、請求項１記載のデジタルレコーディング機器。
【請求項３】
ＶＲ規格に準拠した媒体の記録者名を含むプログラム情報を表示する手段をもつデジタルレコーディング機器。
【発明の詳細な説明】
【技術分野】
【０００１】
デジタルレコーディング機器における技術である。
【背景技術】
【０００２】
現在存在するデジタルレコーディング機器のＶｉｄｅｏＲｅｃｏｒｄｉｎｇ（以下、ＶＲ）規格に準拠した記録方式に基づく媒体のプログラム表示情報としては、録画日時、ソースＣＨ、タイトル、録画モードのみであり、またプログラムの分類表示としても、上記項目による分類のものしかなかった（例えば、特許文献１参照。）。
【特許文献１】特開２００２−８４４７９号公報
【発明の開示】
【発明が解決しようとする課題】
【０００３】
従来のデジタルレコーディング機器のプログラム情報表示としては、記録者名の情報がなく、また記録者名による分類機能もなかったので、同一媒体に複数人で記録して使用した場合、消去時等、誰が記録したものかわからず、困ることがあった。
【課題を解決するための手段】
【０００４】
プログラム記録時に、媒体にＶＲ規格のＴｅｘｔ  Ｍａｎａｇｅｍｅｎｔ領域に記録者名を書き込むようにする。そして、プログラム情報表示時には、Ｐｒｏｇｒａｍ  Ｉｎｆｏｒｍａｔｉｏｎ（以下ＰＧＩ）を使用して、そのプログラムの記録者名を表示するようにする。さらに、その記録者名で分類し、記録者名毎に表示できるようにする。
【発明の効果】
【０００５】
デジタルレコーディング機器のプログラム内容情報として、記録者名を表示することができ、また分類機能を使用することで、同じ媒体に複数人で記録して使用した場合、誰が記録したものかわかり、消去の時にも役に立つ。
【発明を実施するための最良の形態】
【０００６】
デジタルビデオレコーディング機器が、ＶＲ規格に準拠した記録方式で、媒体へプログラムを記録する際、記録者が記録者の名前をＧＵＩ等の手段を用いて、入力できるようにする。図１は、そのＧＵＩの一例である。
【０００７】
この時、入力されたデータの保存方法を説明する。まず、図２はＶＲ規格のＴｅｘｔ  Ｄａｔａ  Ｍａｎａｇｅｍｅｎｔ（以下、ＴＸＴＤＴ＿ＭＧ）領域の構成図である。テキストを保存できる領域としては、このＴＸＴＤＴ＿ＭＧ領域がある。ＴＸＴＤＴ＿ＭＧ領域は、図に示されるメンバからなる。図３は、その中のＩｔｅｍ＿Ｔｅｘｔ（以下、ＩＴ＿ＴＸＴ）の構成図である。このＩＴ＿ＴＸＴ  のＩＤＣＤのＴｙｐｅには、ストリームの出力元を示すＳｏｕｒｃｅ、その他を示すＯｔｈｅｒｓ等があるが、ここでは、Ｏｔｈｅｒｓを指定するようにする。
【０００８】
次にＩｔｅｍ  Ｎａｍｅには、映画をＭｏｖｉｅ，Ｍｕｓｉｃ，Ｄｒａｍａ等があるが、ここでは、ＭｅｍｏまたはＯｔｈｅｒｓ、すなわちＣｏｄｅ  Ｎｕｍｂｅｒに（８０ｈ）または（９０ｈ）を指定して、記録するようにする。
【０００９】
次に、Ｔｅｘｔ＿Ｓｉｚｅ（以下、ＴＥＸＴ＿ＳＺ）に名前の長さを数値で書き込む。これは、入力された名前から長さをはかり、その値を記録するようにする。
【００１０】
さらに、Ｔｅｘｔ（以下、ＴＸＴ）には、入力された記録者名をＩＳＯ／ＩＥＣ６４６、ＳｈｉｆｔＪＩＳ等で記録する。この時、どのキャラクターセットを使用するかは、ＴｅｘｔＤａｔａＩｎｆｏｒｍａｔｉｏｎ（以下、ＴＸＴＤＴＩ）のＣＨＲＳ領域にＩＳＯ／ＩＥＣ６４６なら（０１ｈ）、ＳｈｉｆｔＪＩＳなら（１２ｈ）を指定するようにすることで、識別できるようにする。
【００１１】
一方、プログラム情報表示時を説明する。図４はＰｒｏｇｒａｍ  Ｃｈａｉｎ  Ｉｎｆｏｒｍａｔｉｏｎ（以下、ＰＧＣＩ）領域の構成図である。ＰＧＣＩの中には、各プログラムの情報Ｐｒｏｇｒａｍ  Ｉｎｆｏｒｍａｔｉｏｎ（以下、ＰＧＩ）が含まれる。図５に示すように、この表示しようとするプログラムのＰＧＩのメンバの一つである、Ｉｔｅｍ＿Ｔｅｘｔ＿ＳｅｒａｃｈＰｏｉｎｔｅｒＮｕｍｂｅｒ（以下、ＩＴ＿ＴＸＴ＿ＳＲＰＮ）を調べる。次に、このＩＴ＿ＴＸＴ＿ＳＲＰＮ  を参照して、ＴＸＴＤＴ＿ＭＧ領域のＩＴ＿ＴＸＴを調べることで、各ＰＧの記録者名情報を取り出す。そして、プログラム情報表示には、上の情報を表示するようにする。
【００１２】
また、プログラムを記録者名で分類して表示させたい時には、上の情報を基に、分類したい記録者名でソートすることで、該当したプログラムを区分して表示するようにする。図６は実施の一例である。
【産業上の利用可能性】
【００１３】
本発明はデジタルレコーディング機器に適用できる。
【図面の簡単な説明】
【００１４】
【図１】記録者名入力時のＧＵＩの例を示す図
【図２】ＶＲ規格のＴＸＴＤＴ＿ＭＧ構成図
【図３】ＶＲ規格のＩＴ＿ＴＸＴ構成図
【図４】ＶＲ規格のＰＧＣＩｎｆｏ構成図
【図５】ＰＧＩｎｆｏ構成図
【図６】記録者名によるソート結果表示の例を示す図
【図１】
2005149632.tif 000003
【図２】
2005149632.tif 000004
【図３】
2005149632.tif 000005
【図４】
2005149632.tif 000006
【図５】
2005149632.tif 000007
【図６】
2005149632.tif 000008
(57)【要約】【課題】            照射光の有効利用率の向上を図ることができ、また表示板面の均一な明るさの照明を行うことができる発光ダイオードを用いた照明装置を得ることを課題とする。【解決手段】        導光体の光導入部を平面に構成し、一方反射型発光ダイオードの放射面部を平面に構成し、反射型発光ダイオードの放射面部を導光体の光導入部に密接し、反射型発光ダイオードの光量を効率よく導光体に取り込むように構成してある。また導光体の光導入部は角型平面に構成し、さらに光導入部は単数若しくは複数の端部を有して構成してある。【選択図】          図１
2005149848.tif 000002
【特許請求の範囲】
【請求項１】
導光体の光導入部を平面に構成し、一方反射型発光ダイオードの放射面部を平面に構成し、反射型発光ダイオードの放射面部を導光体の光導入部に密接し、反射型発光ダイオードの光量を効率よく導光体に取り込むように構成したことを特徴とする照明装置。
【請求項２】
角型平面に構成した導光体の光導入部は、単数若しくは複数の端部を有して構成したことを特徴とする請求項１記載の照明装置。
【請求項３】
導光体の表示面の裏面を拡散面として構成したことを特徴とする請求項１及び請求項２記載の照明装置。
【発明の詳細な説明】
【技術分野】
【０００１】
本発明は、照明や表示装置に使用する発光ダイオードを用いた照明装置の改良に関する。
【背景技術】
【０００２】
各種広告板や装飾表示板や案内板等に発光ダイオードを用いた照明装置が多用される傾向にある。従来は例えば図４に示すように、取付板１にいわゆる砲弾型の発光ダイオード２を複数個設け、同発光ダイオード２をプラスチックまたはガラス材で構成した導光体３の端部に密接して構成してある。
また他の実施例としては、特開平１１ー４３９０８号に記載されているように、発光ダイオード等の光源を用いた視線誘導灯において、いわゆる砲弾型の発光ダイオードを組み込んだものが用いられている。
【０００３】
【特許文献１】特開平１１ー４３９０８(図４)
【発明の開示】
【発明が解決しようとする課題】
【０００４】
ところで、上記した図４に示す従来構造は、いわゆる砲弾型の発光ダイオードを用いて構成してあるので、照射角度が狭くなり、また縦寸法が大きくなり、さらに発光ダイオードからの出射光の導光体３への入射率が低い欠点がある。
また特開平１１ー４３９０８号によると、砲弾型の発光ダイオードを用いて構成してあるので、発光面積が小さく、側面方向からの視認性が劣る欠点がある。また発光ダイオードからの照射光を導光体に取り込もうとすると、光のロスが大きくなる欠点がある。
【０００５】
本発明は、上記の点に鑑み発明したものであって、発光ダイオードからの照射光の有効利用率を向上することができ、視認性が向上し、発光面積を大きく構成することができる発光ダイオードを用いた照明装置を提供することを目的とする。
【課題を解決するための手段】
【０００６】
本発明は上記課題を解決するために次ぎの構成とする。請求項１は、導光体の光導入部を平面に構成し、一方反射型発光ダイオードの放射面部を平面に構成し、反射型発光ダイオードの放射面部を導光体の光導入部密接して構成してある。
そして、反射型発光ダイオードの光量を効率よく導光体に取り込むように構成してある。
【０００７】
請求項２は、請求項１の角型平面に構成した導光体の光導入部は、単数若しくは複数の端部を有して構成してある。
【０００８】
請求項３は請求項１における導光体の表示面の裏面を拡散面として構成してある。
【０００９】
上記した請求項１乃至請求項３に記載の照明装置によると、発光ダイオードからの照射光の有効利用率を向上することができ、視認性が向上し、発光面積を大きく構成することができる。
【発明の効果】
【００１０】
上記した請求項１から請求項３に記載の発明によると、照射光の有効利用率の向上を図ることのでき、また表示板面の均一な明るさの照明を行うことができる発光ダイオードを用いた照明装置を得ることができる。
【発明を実施するための最良の形態】
【００１１】
以下本発明を実施するための最良の形態について説明する。
【実施例１】
【００１２】
以下本発明の実施例を図１乃至図３ついて説明する。図１は本発明に係る発光ダイオードを用いた照明装置の一部切欠断面図である。図１において、１１は導光板であって、光導入部１２を平面に構成してある。また同導光板１１は例えば透光性のプラスチック又はガラス材で構成してある。大きさは装飾表示板として使用する場合は、例えば官製ハガキと同程度の大きさに構成してある。また同導光板１１の底面は反射面に構成してある。反射面は例えばアルミニウム又は銀膜を被着して構成し、拡散面として機能する。２０は発光ダイオードであって、反射型発光ダイオードを用いて構成してある。２１は反射鏡であって、発光ダイオード２０の照射光を反射鏡２１に照射し、かかる後導光板１１に導入するように構成してある。２３は導光板１１と発光ダイオード２０を組み込んだ反射鏡２１を一体構成するための接着剤であって、透光性のエポキシ樹脂を用いて構成してある。このように構成すると、発光ダイオードからの照射光を導光板１１に効率よく取り込むことができ、視認性が向上する。
【００１３】
図２は他の実施例であって、導光板１１の両端に、図１と同じ構造の反射鏡２１に装着した発光ダイオード２０を配置して構成してある。同構造を広告板として使用する場合、大きさは縦６０ｃｍ、横６０ｃｍ程度に構成してある。
【００１４】
図３は発光ダイオードを用いた照明装置の斜視図であって、表示面３１に文字や図柄を表示して構成してある。表示面は片面と両面のものがある。また同発光ダイオードを用いた照明装置の表示面以外の面は、反射面又は拡散面として構成してある。
【００１５】
上記した構造の発光ダイオードを用いた照明装置によると、発光ダイオード２０からの照射光は反射鏡２１に照射し、大部分の光りは導光板１１に導入される。また表示面３１以外の面は反射面又は拡散面として構成してあるので、反射光は効率よく表示面に照射され、同表示面の輝度は上昇する。本発明の発光ダイオードを用いた照明装置に対して、図４に示す従来の発光ダイオードを用いた照明装置によると、発光ダイオードから導光体３へ導入される光は、発光ダイオードと導光体の間で減光し、光の利用率が低くなる。
【図面の簡単な説明】
【００１６】
【図１】本発明に係る反射型発光ダイオードを用いた照明装置の側面図。
【図２】本発明に係る反射型発光ダイオードを用いた他の照明装置の側面図。
【図３】図２の斜視図。
【図４】従来の発光ダイオードを用いた照明装置の側面図。
【符号の説明】
【００１７】
１１  導光板
１２  光導入部
２０  発光ダイオード
２１  反射板
２３  接着剤
３１  表示面
【図１】
2005149848.tif 000003
【図２】
2005149848.tif 000004
【図３】
2005149848.tif 000005
【図４】
2005149848.tif 000006
(57)【要約】【課題】コンピュータ等のキーボードをタッチタイピング（ブラインドタッチ）が容易に習得可能な形状とする。【解決手段】キー配置は従来のまま、タッチタイピング（ブラインドタッチ）時の各指に対応するキー毎に高さを変え、その盤面の凹凸が指を動かす方向のガイドとなるような形状とする。【選択図】図１
2005149247.tif 000002
【特許請求の範囲】
【請求項１】
タッチタイピング（ブラインドタッチ）時の各指に対応するキー毎に高さを変えて配置することにより、鍵盤面が指の動きに沿った凹凸形状になったコンピュータ等のキーボード。
【請求項２】
タッチタイピング（ブラインドタッチ）時の各指に対応するキー毎に高さを自由に変えられるようにして指を動かす方向のガイドとすることにより、タッチタイピング（ブラインドタッチ）を容易にするコンピュータ等のキーボード。
【発明の詳細な説明】
【技術分野】
【０００１】
コンピュータ等の入力装置であるキーボードのうち、盤面を見ないで打鍵することが容易な形状になっているもの。
【背景技術】
【０００２】
従来のキーボードには行（横）方向毎に段差をつけたもの、掌形に盤面を盛り上げたもの、中央から左右に分割したもの等いくつか種類がある。いずれもタッチタイピングまたはブラインドタッチと呼ばれる技術で盤面を見ないでタイプする際に、ホームポジション（打鍵していない時に各指を置くキー位置）から列（縦）方向（正確には斜め上下）にある他のキーへ指を動かすには各自の経験と感覚に頼る必要があった。このため、タッチタイピング（ブラインドタッチ）を習得するのに時間がかかったり、これを身につけないまま自己流で効率の悪いタイピングを行ってしまう等の欠点があった。
【発明の開示】
【発明が解決しようとする課題】
【０００３】
タッチタイピング（ブラインドタッチ）をキーボードの形状を変えることによって容易に可能とする。
【課題を解決するための手段】
【０００４】
キー配置は従来のまま各キーをタッチタイピング（ブラインドタッチ）時の各指に対応するグループに分け、数ミリずつ高さを変えるという形状により列（縦）方向（正確には斜め上下方向）の溝または山をつくる。結果的にこの溝または山がホームポジションから他のキーへ指を動かす際の方向ガイドの役目を持つようになる。
【発明の効果】
【０００５】
本キーボードを使用することにより、タッチタイピング（ブラインドタッチ）技術を容易に身に付けることができる。これは、キー入力速度の向上。眼精疲労、視力低下、ストレス（いわゆるＶＤＴ症候群）等の防止につながる。また、タイプ技術の向上によりコンピュータ等をより有効に使いこなせる等の効果がある。
【発明を実施するための最良の形態】
【０００６】
以下に一般的な日本語ＪＩＳキーボードを例に説明する（ファンクションキーは省略）。
タッチタイピング（ブラインドタッチ）時の各指に対応するキーを次のようにグループ分けする。
左右中指グループ：［３  Ｅ  Ｄ  Ｃ］、［８  Ｉ  Ｋ  ，］
左右人差指グループ：［４  Ｒ  Ｆ  Ｖ］、［７  Ｕ  Ｊ  Ｍ］
左右薬指部ループ：［２  Ｗ  Ｓ  Ｘ］、［９  Ｏ  Ｌ  ．］
その他グループ：上記以外
図１〜３．に示すように左右中指グループを低く、左右人差指グループと左右薬指グループを中段に、その他グループを高く配置する。この盤面の凹凸形状が各指を動かす方向のガイドとなり、タッチタイピング（ブラインドタッチ）を容易にする。
【実施例１】
【０００７】
前述の様にタッチタイピング（ブラインドタッチ）時の各指対応キー毎に高さを変えることが本発明の特徴であるが、指の長さ、キーの高低差の好みには個人差がある。本キーボードは裏面のスクリューを回転させることにより、キーの高さをグループ単位で変更することが可能である（図４．参照）。この構造により各自が最適な状態で操作することが可能となる。また、タイピングに慣れるにつれ各キーの段差が邪魔になった場合、全てのキートップを同じ高さにして従来のキーボードと同様の形態で使用することも可能である。
【図面の簡単な説明】
【０００８】
【図１】この発明の一実施形態を示す斜視図（斜め上から俯瞰）。
【図２】この発明の一実施形態を示す斜視図（水平付近から俯瞰）。
【図３】この発明の一実施形態を示す側面図（手前スペースキー方向から見た図）。
【図４】この発明の一実施形態を示す断面図。
【図１】
2005149247.tif 000003
【図２】
2005149247.tif 000004
【図３】
2005149247.tif 000005
【図４】
2005149247.tif 000006
(57)【要約】【課題】インターネット上のサイトでは、常にページの上部の場所ほど掲載価値が高くなる。そのため、後からサイトに掲載することとなる顧客ほど不利になる。この発明を利用し、掲載条件が同じ顧客には、平等な機会を与えられる自動配置システムを提供する。【解決手段】各クーポン券発券ボタンのクリック回数を、データベースに記憶させる。一定期間のクリック回数の総数の順位を、前記データベースを利用することにより、決定する。総数順位の上のものから、次回期間の期初のサイト内該当ページの掲載場所を決定し（上部から掲載）、期初に並べ替えを行い、配置する。結果として、クリック回数の多いクーポン券ほど、価値のある上部の場所に掲載され、掲載場所に対する平等な機会を与えることとなる。【特許請求の範囲】
【請求項１】
インターネットサイト内におけるクーポン券の掲載を、クーポン券の人気順に掲示、自動配置するシステム。
【発明の詳細な説明】
【技術分野】
【０００１】
本発明はクーポン券発券という機能と、クーポン券発券のクリック回数の換算という機能を有し、同じページ内に平等な掲載機会を与えることを実現するための掲載順位決定に関するものである。
【背景技術】
【０００２】
従来の掲載場所の決定は、掲載料金の違いや掲載参加順による場所の決定が行われていた。
【発明の開示】
【発明が解決しようとする課題】
【０００３】
従来の掲載方法では、後から参加した顧客の掲載内容は、掲載価値の低いページの下部に掲載となる。本発明は、この欠点を解決するためになされたものである。
【課題を解決するための手段】
【０００４】
クーポン券発券のクリック動作をクーポン券ごとにデータベースに記憶させていく。次に、一定期間内のクリック回数の総数を期間終了時に換算する。そして、総数の多い順番にクーポン券の順位を決定する。決定した順位に基づき、そのクーポン券が掲載されるページ内の順位を決定する。期初に、決定したページ内の順位に基づきページ内掲載場所の並べ替えを行う。
【発明の効果】
【０００５】
本発明により、サイトに後から参加する顧客も他顧客よりサイト閲覧者の興味を引くクーポン券を掲載すれば、掲載場所が上部の価値の高い場所に移動することができる。定期的にサイト内同一ページの内容が変化するため、サイト閲覧者のうちページ下部を閲覧していなかった閲覧者の目にもとまるようになり、閲覧者にとっても変化のある見やすいページ内容となる。
【実施例１】
【０００６】
以下に本発明の自動配置システムの実施例を、図面を参照して説明する。
図１は、本発明の一実施例を示している。
クーポンHTMLをクリック１すると、データベースにおいてカウント数計算２される。一定期日になると、データベースを更新３して配置変換プログラム４が働く。４によりクーポンHTMLの配置変更５が行われる。
【図面の簡単な説明】
【０００７】
【図１】本発明のフローチャート図
【図２】本発明のシステム図
【図３】本発明のデータベース項目
【符号の説明】
【０００８】
１…クーポンHTMLがクリックされる
２…カウント数を計算
３…データベースを更新
４…配置変換プログラム
５…クーポンHTMLの配置変更
【図１】
2005149187.tif 000002
【図２】
2005149187.tif 000003
【図３】
2005149187.tif 000004